(57)【要約】【課題】撮像装置が、被写体である人物に対してより的確に、当該人物の移動指示などの通知を行えるようにする。【解決手段】音声出力部１３２−１〜１３２−１２の各々が、パラメトリックスピーカを具備して、撮像部１５０の撮像領域の一部に向けて音声を出力する。これにより、撮像領域に含まれる複数の人物のうち一部のみに通知を行うことや、人物が特定の領域に位置する場合にのみ通知を行うことができる。従って、携帯端末装置１００は、通知対象の人物に対してのみ短いメッセージで通知を行うなど、より的確に通知を行うことができる。【選択図】図１
2013041012.tif 000002
【特許請求の範囲】
【請求項１】
撮像部と、
前記撮像部の撮像領域の一部で聞き取り可能な音声を出力する音声出力部と、
を具備することを特徴とする撮像装置。
【請求項２】
複数の前記音声出力部を具備し、
前記複数の音声出力部は、互いに異なる領域で聞き取り可能な音声を出力する
ことを特徴とする請求項１に記載の撮像装置。
【請求項３】
前記音声出力部は、前記撮像領域の外縁の一部を含む領域で聞き取り可能な音声かつ前記撮像領域の中心側へ移動するよう促す音声を出力することを特徴とする請求項１または請求項２に記載の撮像装置。
【請求項４】
前記撮像部の撮像画像におけるピントが合う領域である合焦領域を検出する合焦領域検出部を具備し、
前記音声出力部は、前記合焦領域検出部の検出した合焦領域を示す音声を出力する
ことを特徴とする請求項１から３のいずれか一項に記載の撮像装置。
【請求項５】
前記撮像領域における被写体の笑顔を検出する笑顔検出部を具備し、
前記音声出力部は、前記笑顔検出部の検出した笑顔を含む領域を示す音声を出力する
ことを特徴とする請求項１から４のいずれか一項に記載の撮像装置。
【請求項６】
前記音声出力部の出力する音声を用いて被写体までの距離を検出する距離測定部を具備し、
前記撮像部は前記距離測定部が検出した被写体までの距離に合焦する
ことを特徴とする請求項１から５のいずれか一項に記載の撮像装置。
【請求項７】
撮像装置の撮像方法であって、
撮像領域の一部で聞き取り可能な音声を出力する音声出力ステップと、
前記撮像領域を撮像する撮像ステップと、
を具備することを特徴とする撮像方法。
【発明の詳細な説明】
【技術分野】
【０００１】
本発明は、カメラ付き携帯端末装置やデジタルカメラ等の撮像装置、および、当該撮像装置の撮像方法に関する。
【背景技術】
【０００２】
カメラ付き携帯端末装置やデジタルカメラ等の撮像装置を用いて撮像を行う際、ユーザは、ファインダーで撮像領域を確認しながら撮像を行うことが一般的である。このファインダーで撮像領域を確認する作業は、ユーザにとって手間であり、また、シャッタータイミングが遅れてしまう要因となり得る。
そこで、特許文献１に記載のカメラでは、スピーカは、スピーカ制御部に制御されて、撮影範囲と略同一の範囲で聴き取ることのできる報知音を発生させる。スピーカ制御部は、セルフタイマ撮影モードにおいて、シャッターボタンが操作されると、撮影実行までの間、一定のサイクルで報知音を発生させ、撮影実行時には、撮影実行を表す報知音を発生させる。
この報知音により、被写体の人物は、自分が撮影範囲内に位置しているか否か、並びに、撮影タイミングを知ることができるとされている。
【先行技術文献】
【特許文献】
【０００３】
【特許文献１】特開２００７−２６４４５７号公報
【発明の概要】
【発明が解決しようとする課題】
【０００４】
特許文献１に記載のカメラにおける報知音による報知方法のように、音声にて被写体である人物に通知を行う方法において、詳細な情報を的確に通知できない場合がある。例えば、集合写真を撮像する際、撮像装置に向かって右端から２人が右に寄り過ぎているため左に移動させたい場合に、撮像装置が「左に寄って下さい」という音声を出力したのでは、他の人物も左に寄ってしまうおそれがある。一方、「右端から２人の方は左に寄って下さい」というように通知内容を詳細に示す音声を撮像装置が出力しても、メッセージが長すぎて被写体に伝わらない（正しく認識して貰えない）おそれがある。また、このように長いメッセージを、想定される様々なシーンに応じて予め準備しておくことは、メッセージを準備する者にとって大きな負担となる。
【０００５】
本発明は、上述の課題を解決することのできる撮像装置および撮像方法を提供することを目的としている。
【課題を解決するための手段】
【０００６】
この発明は上述した課題を解決するためになされたもので、本発明の一態様による撮像装置は、撮像部と、前記撮像部の撮像領域の一部で聞き取り可能な音声を出力する音声出力部と、を具備することを特徴とする。
【０００７】
また、本発明の一態様による撮像方法は、撮像装置の撮像方法であって、撮像領域の一部で聞き取り可能な音声を出力する音声出力ステップと、前記撮像領域を撮像する撮像ステップと、を具備することを特徴とする。
【発明の効果】
【０００８】
本発明によれば、被写体である人物に対して、より的確に通知を行うことができる。
【図面の簡単な説明】
【０００９】
【図１】本発明の一実施形態における携帯端末装置の機能構成を示す概略ブロック図である。
【図２】同実施形態における携帯端末装置の外形の概略を示す斜視図である。
【図３】同実施形態において、音声出力部の各々が音声を出力する領域を示す説明図である。
【図４】同実施形態において、携帯端末装置が行う被写体位置の指示の例を示す説明図である。
【図５】同実施形態において、携帯端末装置（合焦領域検出部）が検出する合焦領域の例を示す説明図である。
【図６】同実施形態において、携帯端末装置（笑顔検出部）が検出する笑顔領域の例を示す説明図である。
【図７】同実施形態において、携帯端末装置が、静止画像を撮像する撮像機能を実行する際の処理手順を示すフローチャートである。
【図８】同実施形態において、携帯端末装置が、被写体位置の指示を行う機能に関する処理を行う手順を示すフローチャートである。
【図９】同実施形態において、携帯端末装置が、合焦領域通知に関する処理を行う手順を示すフローチャートである。
【図１０】同実施形態において、携帯端末装置が、笑顔検出通知に関する処理を行う手順を示すフローチャートである。
【発明を実施するための形態】
【００１０】
以下、図面を参照して、本発明の実施の形態について説明する。なお、以下では、本発明を携帯端末装置に適用する場合の例について説明するが、本発明の適用範囲は携帯端末装置に限らない。例えばデジタルカメラなど、撮像を行う様々な機器に本発明を適用し得る。
【００１１】
図１は、本発明の一実施形態における携帯端末装置の機能構成を示す概略ブロック図である。同図に示すように、携帯端末装置１００は、表示部１１０と、操作入力部１２０と、音声入力部１３１と、音声出力部１３２−１〜１３２−１２と、無線通信部１４０と、撮像部１５０と、制御部１８０と、記憶部１９０とを具備する。制御部１８０は、表示制御部２１０と、入力処理部２２０と、音声処理部２３０と、通信制御部２４０と、撮像制御部２５０と、アプリケーション実行部２６０とを具備する。アプリケーション実行部２６０は、被写体検出部２６１と、距離測定部２６２と、合焦領域検出部２６３と、笑顔検出部２６４とを具備する。
【００１２】
携帯端末装置１００は、例えば携帯情報端末装置（Personal Digital Assistant；ＰＤＡ）であり、ユーザ操作に応じて撮像機能や電子メール機能など各種機能を実行する。ここでいう撮像機能は、撮像部１５０のフォーカス（撮像部１５０と焦点との距離）やズームの調整や、ファインダー画像の表示や、撮像画像の保存等を行う機能である。
【００１３】
表示部１１０は、例えば液晶ディスプレイまたは有機ＥＬ（Organic Electro-Luminescence）ディスプレイ等の表示画面を有し、動画像や静止画像やテキスト（文字）などの各種画像を表示する。特に、表示部１１０は、携帯端末装置１００が撮像機能を実行する際に、撮像部１５０から出力されるファインダー画像を表示する。
【００１４】
操作入力部１２０は、例えば表示部１１０の表示画面に設けられたタッチセンサ（タッチパネル）や押ボタンなどの入力装置を有し、ユーザ操作を受け付ける。特に、操作入力部１２０は、撮像機能など各種機能の開始や終了を指示する操作や、撮像画像の保存を指示する操作（シャッターボタン押下操作）を受け付ける。
【００１５】
音声出力部１３２−１〜１３２−１２は、それぞれ、撮像部１５０の撮像領域（撮像部１５０の取得する画像に結像される領域）の一部で聞き取り可能な音声を出力する。ここで、音声出力部１３２−１〜１３２−１２は、互いに異なる領域で聞き取り可能な音声を出力する。
音声出力部１３２〜１３２−１２の各々は、例えばパラメトリックスピーカ（Parametric Speaker、超指向性スピーカ）を用いて実現される。音声出力部１３２〜１３２−１２の各々は、パラメトリックスピーカを用いて、例えば、搬送波としての超音波を、出力したい音声の波形に振幅変調して、空気中を超音波が伝播する際の非線形特性の生じる大きな振幅で放射することで、指向性の強い音声を出力する。
【００１６】
なお、携帯端末装置１００が具備する音声出力部の数は、図１に示す１２個に限らず、１つ以上であればよい。
また、本実施形態では、音声出力部１３２−１〜１３２−１２の各々が音声を出力する向き（すなわち、音声出力部１３２−１〜１３２−１２の各々が音声を出力する領域）は、携帯端末装置１００本体の姿勢（向き）に対して固定であるが、本発明の実施にあたって、携帯端末装置の具備するパラメトリックスピーカの向き（音声を出力する向き）を、携帯端末装置本体の姿勢に対して可変としてもよい。これにより、携帯端末装置は、複数の領域のいずれかを選択し、１つのパラメトリックスピーカを用いて当該領域に音声を出力し得る。
【００１７】
また、携帯端末装置１００が被写体位置指示機能を実行する際、音声出力部１３２−１〜１３２−１２のいずれかは、撮像領域の外縁の一部を含む領域で聞き取り可能な音声かつ撮像領域の中心側へ移動するよう促す音声を出力する。
ここでいう被写体位置指示機能は、被写体である人物に対して立ち位置（撮像される位置）を変更するよう指示する機能である。音声出力部１３２−１〜１３２−１２は、撮像領域の端近くに位置する人物に対して撮像領域の中心側に移動するよう指示することで、当該人物の一部が撮像領域からはみ出し、撮像画像において当該人物の像が切れてしまうことや、撮像画像において複数の人物の一部が一方向に偏ってバランスが悪くなってしまうことを防止する。
【００１８】
また、携帯端末装置１００が合焦領域通知機能を実行する際、音声出力部１３２−１〜１３２−１２のいずれかは、合焦領域検出部２６３の検出した合焦領域を示す音声を出力する。
ここでいう合焦領域通知機能は、被写体である人物に対して、合焦領域に位置するか否かを通知する機能である。また、ここでいう合焦領域は、撮像部１５０の撮像画像におけるピントが合う領域である。より具体的には、合焦領域は、撮像領域を分割した領域のうち、合焦して（すなわち、ピントが合って）撮像される被写体を含む領域である。また、ここでいう撮像領域を分割した領域は、撮像部１５０の撮像領域を、音声出力部１３２−１〜１３２−１２の各々が音声を出力する領域に分割した領域である。
【００１９】
音声出力部１３２−１〜１３２−１２が、合焦領域に位置するか否かを被写体に通知することで、当該被写体である人物は、自らに合焦しているか否かを知り得る。例えば、合焦領域に位置しない旨の通知を取得した人物は、自らに合焦していないことを知り得る。そして、自らに合焦していないことを知った人物は、携帯端末装置１００までの位置を変化させるように移動することで、自らに合焦させ得る（すなわち、自らがピンボケしていない撮像画像を取得し得る）。
【００２０】
また、携帯端末装置１００が笑顔通知機能を実行する際、音声出力部１３２−１〜１３２−１２のいずれかは、前記笑顔検出部の検出した笑顔を含む領域を示す音声を出力する。
ここでいう笑顔通知機能は、被写体である人物に対して、笑顔検出領域に位置するか否かを通知する機能である。また、ここでいう笑顔検出領域は、撮像領域を分割した領域のうち、笑顔検出部２６４が笑顔を検出した領域である。
音声出力部１３２−１〜１３２−１２は、笑顔検出領域に位置するか否かを被写体に通知することで、当該被写体である人物は、自らの笑顔が検出されたか否かを確認し得る。また、音声出力部１３２−１〜１３２−１２は、笑顔検出領域外に位置する被写体に対して、微笑むよう促す音声を出力し得る。
なお、以下では、音声出力部１３２−１〜１３２−１２を総称して「音声出力部１３２」と表記する。
【００２１】
音声入力部１３１はマイクを有し、周囲音を採取して音声信号に変換し、音声処理部２３０に出力する。特に、音声入力部１３１は、音声出力部１３２から出力され被写体に当たって反射した音声（反射音）を採取する。
無線通信部１４０は、無線基地局との通信を行う。具体的には、無線通信部１４０は、通信制御部２４０から出力される信号に対して変調処理を行って無線信号にて送信し、また、受信した無線信号に対して復調処理を行って通信制御部２４０に出力する。例えば、無線通信部１４０は、電子メールデータを無線信号にて送受信する。
【００２２】
撮像部１５０は、撮像用レンズ（フォーカスレンズおよびズームレンズを含む）および撮像素子を備えたカメラを有して撮像を行う。具体的には、撮像部１５０は、被写体からの光線の入力を受けて、フォーカスレンズの位置に応じたフォーカスおよびズームレンズの位置に応じたズームにて撮像素子上に被写体像を結像する。そして、撮像部１５０は、撮像素子において、結像された被写体像を画像信号に変換して撮像制御部２５０に出力する。撮像部１５０は、携帯端末装置１００が撮像機能を実行する状態において、画像信号を常時出力する。
また、撮像部１５０は、撮像制御部２５０の制御に従って、距離測定部２６２が検出した被写体までの距離に合焦する（フォーカスレンズを動かす）。
以下では、撮像部１５０が出力する信号の示す画像を「カメラ画像」と称する。また、表示部１１０に表示されるカメラ画像を「ファインダー画像」と称し、記憶部１９０に保存されるカメラ画像を「撮像画像」と称する。すなわち、撮像部１５０が取得するカメラ画像は、ファインダー画像として表示部１１０に表示され、また、操作入力部１２０が受け付ける操作によって指示される撮像画像の保存のタイミングにおいて、撮像画像として記憶部１９０に保存される。
【００２３】
制御部１８０は、携帯端末装置１００の各部を制御して各種機能を実行する。制御部１８０は、例えば、携帯端末装置１００の具備するＣＰＵ（Central Processing Unit、中央処理装置）が、携帯端末装置１００の具備するメモリからプログラムを読み出して実行することにより実現される。
表示制御部２１０は、表示部１１０を制御して各種画像を表示させる。具体的には、表示制御部２１０は、アプリケーション実行部２６０から出力される動画像データや静止画像データやテキストデータ等に基づいて画面表示用の信号を生成して表示部１１０に出力することにより、表示部１１０に画像を表示させる。特に、表示制御部２１０は、携帯端末装置１００が撮像機能を実行する状態において、アプリケーション実行部２６０から画像データにて出力されるファインダー画像を表示部１１０に表示させる。
【００２４】
入力処理部２２０は、操作入力部１２０が受け付けた操作に応じた信号をアプリケーション実行部２６０に出力する。
特に、操作入力部１２０が撮像機能の開始を指示する操作を受け付けると、入力処理部２２０は、撮像機能の開始を指示する信号を出力する。例えば、表示部１１０が、携帯端末装置１００の実行可能な機能の一覧を示すメニューを表示している状態で、撮像機能の項目をタッチする操作が行われると、操作入力部１２０が、タッチ位置（表示画面上においてタッチされた位置）を示す信号を入力処理部２２０に出力する。そして、入力処理部２２０は、タッチ位置に基づいて、撮像機能の項目がタッチされたことを検出して、撮像機能の開始を指示する信号を出力する。
また、操作入力部１２０が、撮像画像の保存を指示する操作を受け付けると、入力処理部２２０は、撮像画像の保存を指示する信号を出力する。例えば、表示部１１０がシャッターボタンの画像（アイコン）を表示している状態で、当該シャッターボタンの画像をタッチ（押下）する操作が行われると、操作入力部１２０が、タッチ位置を示す信号を入力処理部２２０に出力する。そして、入力処理部２２０は、タッチ位置に基づいて、シャッターボタンの画像がタッチされたことを検出して、撮像画像の保存を指示する信号を出力する。
【００２５】
音声処理部２３０は、アプリケーション実行部２６０から出力される音声データを電気信号に変換して音声出力部１３２に出力することで、音声出力部１３２に音声を出力させる。また、音声処理部２３０は、音声入力部１３１が音声を採取して出力する電気信号を音声データに変換してアプリケーション実行部２６０に出力する。
【００２６】
通信制御部２４０は、アプリケーション実行部２６０から出力されるデータに符号化等の処理を行って、無線通信部１４０に出力して変調させ、無線信号にて送信させる。また、通信制御部２４０は、無線通信部１４０が受信して復調した信号に、復号等の処理を行ってデータを抽出し、アプリケーション実行部２６０に出力する。例えば、通信制御部２４０は、アプリケーション実行部２６０から出力される電子メールデータに符号化等の処理を行って無線通信部１４０に出力し、また、無線通信部１４０が受信して復調した信号に復号等の処理を行って電子メールデータ等のデータを抽出してアプリケーション実行部２６０に出力する。
【００２７】
撮像制御部２５０は、撮像部１５０の制御や撮像部１５０から出力された信号の処理を行う。特に、撮像制御部２５０は、撮像部１５０から出力された電気信号を動画像フレームまたは静止画像の画像データに変換してアプリケーション実行部２６０に出力する。また、撮像制御部２５０は、アプリケーション実行部２６０から出力されるフォーカス指示に従って撮像部１５０のフォーカスレンズを移動させて、撮像部１５０におけるフォーカスを調整する。また、撮像制御部２５０は、アプリケーション実行部２６０から出力されるズーム指示に従って撮像部１５０のズームレンズを移動させて、撮像部１５０におけるズームを調整する。
【００２８】
アプリケーション実行部２６０は、アプリケーションプログラムを実行して、撮像機能や電子メール機能など各種機能を提供する。特に、アプリケーション実行部２６０は、撮像機能を実行している状態において、撮像制御部２５０から出力される画像データ（カメラ画像のデータ）を、ファインダー画像のデータとして表示制御部２１０に出力し、また、ユーザ操作によって撮像画像の保存を指示されたタイミングで、撮像制御部２５０から出力される画像データを、記憶部１９０に書き込む（保存する）。
【００２９】
被写体検出部２６１は、カメラ画像において、被写体としての人物（の像）を検出する。具体的には、被写体検出部２６１は、カメラ画像に対するパターンマッチングを行って人物を検出し、カメラ画像における人物の位置（例えば、当該人物の顔の中心の位置）を求める。
【００３０】
距離測定部２６２は、音声出力部１３２の出力する音声を用いて被写体までの距離を検出する。具体的には、距離測定部２６２は、音声出力部１３２（音声出力部１３２−１〜１３２−１２のうち少なくとも１つ）が音声を出力してから、音声入力部１３１が反射音を採取するまでの時間を距離に換算して、携帯端末装置１００と被写体との往復距離を算出し、当該往復距離を２で除算して、携帯端末装置１００から被写体までの距離を算出（検出）する。
【００３１】
合焦領域検出部２６３は、合焦領域を検出する。具体的には、合焦領域検出部２６３は、音声出力部１３２の各々が音声を出力する領域に応じてカメラ画像を分割した領域のうち、合焦して撮像される被写体（すなわち、合焦している被写体）を含む領域を検出する。
ここで、被写体に合焦しているか否かを合焦領域検出部２６３が判定する方法として、様々なものを用いることができる。例えば、合焦領域検出部２６３が、距離測定部２６２の検出する携帯端末装置１００から被写体までの距離と、撮像部１５０のフォーカスとを比較することで、被写体に合焦しているか否かを判定するようにしてもよい。あるいは、撮像制御部２５０が、撮像部１５０のフォーカスを変化させ、合焦領域検出部２６３が、被写体の像のコントラスト（画素毎の明度のばらつき度合い）の変化量に基づいて、被写体に合焦しているか否かを判定するようにしてもよい。
【００３２】
笑顔検出部２６４は、撮像領域における被写体の笑顔（の像）を検出する。具体的には、笑顔検出部２６４は、カメラ画像に対するパターンマッチングを行って笑顔を検出し、カメラ画像における笑顔の位置（例えば、当該顔の中心の位置）を求める。
【００３３】
記憶部１９０は、例えば携帯端末装置１００の具備するメモリの記憶領域にて実現され、各種データを記憶する。特に、記憶部１９０は、アプリケーション実行部２６０によって書き込まれる撮像画像データ（撮像画像の画像データ）を記憶する。また、記憶部１９０は、音声出力部１３２が音声を出力するための音声データや、携帯端末装置１００の具備するＣＰＵが実行する各種プログラムを、予め記憶している。
【００３４】
図２は、携帯端末装置１００の外形の概略を示す斜視図である。同図において、携帯端末装置１００の筐体上面に、表示部１１０の表示画面および操作入力部１２０のタッチセンサに該当するタッチパネル式の表示画面が設けられている。また、携帯端末装置１００の筐体側面に撮像部１５０の撮像用レンズが設けられている。また、撮像部１５０の撮像用レンズが設けられているのと同じ側面に、同じ向きで、音声入力部１３１のマイクと、音声出力部１３２のパラメトリックスピーカとが設けられている。
【００３５】
撮像部１５０の撮像用レンズと音声出力部１３２のパラメトリックスピーカとが、同じ側面に同じ向きで設けられていることで、音声出力部１３２は、撮像領域に向けて音声を出力する。ここで、音声出力部１３２のパラメトリックスピーカは１２個（音声出力部１３２−１〜１３２−１２に各１個）設けられている。音声出力部１３２−１〜１３２−１２は、それぞれ１つのパラメトリックスピーカを具備して、撮像領域を分割した領域に向けて音声を出力する。
また、音声出力部１３２のパラメトリックスピーカと、音声入力部１３１のマイクとが同じ側面に同じ向きで設けられていることで、音声入力部１３１は、音声出力部１３２から出力され被写体に当たって反射した音声を採取する。
【００３６】
次に、図３を参照して、音声出力部１３２が音声を出力する領域について説明する。
図３は、音声出力部１３２−１〜１３２−１２の各々が音声を出力する領域を示す説明図である。同図において、領域ＡＳは、撮像部１５０の合焦距離（ピントが合う距離）における撮像領域（被写体の像がカメラ画像に含まれる領域）を示す。撮像部１５０の撮像領域全体は、撮像部１５０の具備するレンズ（の中心）を頂点として、当該頂点と、領域ＡＳの外周（各辺）とを結んで得られる四角錐にて示される。
また、領域Ａ１０１〜Ａ１１２の各々は、領域ＡＳを縦に４分割、横に３分割して得られる領域である。この分割は、図２におけるパラメトリックスピーカの配置に対応している。
【００３７】
音声出力部１３２−１は、音声出力部１３２−１自らの具備するパラメトリックスピーカ（の中心）を頂点として、当該頂点と、領域Ａ１０１の外周とを結んで得られる四角錐におよそ一致する領域に向けて音声を出力する。同様に、音声出力部１３２−２〜１３２−１２は、それぞれ、音声出力部１３２−２〜１３２−１２自らの具備するパラメトリックスピーカ（の中心）を頂点として、当該頂点と、領域Ａ１０２〜Ａ１１２の外周とを結んで得られる四角錐におよそ一致する領域に向けて音声を出力する。
【００３８】
このように、音声出力部１３２の各々は、撮像領域を分割した領域に対して音声を出力する。
ここで、音声出力部１３２の各々が音声を出力する領域は、互いに排他的（すなわち、重なりが無い）であってもよいし、一部が重なっていてもよい。
また、音声出力部１３２が音声を出力する領域と撮像部１５０の撮像領域とは、完全に一致する必要は無い。すなわち、音声出力部１３２が音声を出力する領域が、撮像部１５０の撮像領域の周辺領域を含んでいてもよいし、また、撮像部１５０の撮像領域の一部が、音声出力部１３２が音声を出力する領域に含まれていなくてもよい。
【００３９】
次に、図４を参照して、携帯端末装置１００が被写体としての人物に対して行う位置の指示（被写体位置指示）について説明する。
図４は、携帯端末装置１００が行う被写体位置の指示の例を示す説明図である。この被写体位置を指示する機能（被写体位置指示機能）は、例えば集合写真を撮像する場合に用いられる。
同図（ａ）は、被写体の移動前におけるカメラ画像の例を示す。同図（ａ）に示すカメラ画像には、人物Ｐ１１〜Ｐ１４が写っている。また、同図（ａ）に示す領域Ｐ２０１〜Ｐ２１２は、それぞれ、音声出力部１３２−１〜１３２−１２が音声を出力する領域に対応する領域（音声出力部１３２−１〜１３２−１２が音声を出力する領域に位置する被写体の像が結像する領域）である。
【００４０】
ここで、同図（ａ）の状態では、人物Ｐ１１およびＰ１２が左（携帯端末装置１００に向かって右）に寄っており、人物Ｐ１２とＰ１３との間に隙間が空いて画像のバランスが悪くなっている。また、人物Ｐ１１は撮像領域の端に位置し、当該人物Ｐ１１の像が切れてしまっている。
【００４１】
これら人物Ｐ１１およびＰ１２を画像の中心側（携帯端末装置１００に向かって左）に移動させたい場合、携帯端末装置１００が、撮像領域全体に対して「左に寄って下さい」という音声を出力したのでは、他の人物Ｐ１３およびＰ１４も左に移動してしまうおそれがある。これでは、人物Ｐ１２とＰ１３との間に隙間が空いたままとなり、画像のバランスが悪い。また、人物Ｐ１４が左に移動し過ぎると、当該人物Ｐ１４の像が切れてしまうおそれがある。
一方、携帯端末装置１００が、「右端から２人の方は左に寄って下さい」というように通知内容を詳細に示す音声を出力しても、メッセージが長すぎて被写体に伝わらない（正しく認識して貰えない）おそれがある。
【００４２】
そこで、携帯端末装置１００は、人物Ｐ１１およびＰ１２の像を含む領域Ａ２０１、Ａ２０２、Ａ２０５、Ａ２０６、Ａ２０９およびＡ２１０に対応する音声出力部１３２−１、１３２−２、１３２−５、１３２−６、１３２−９および１３２−１０から、「左に寄って下さい」というメッセージなど、人物を画像の中心側へ移動するよう促す音声を出力する。
【００４３】
これにより、人物Ｐ１１およびＰ１２のみが当該音声を聞き取ることができる。そして、人物Ｐ１１およびＰ１２が当該音声に従って左に移動し、また、音声を聞いていない人物Ｐ１３およびＰ１４が元の位置に留まることで、携帯端末装置１００は、図４（ｂ）に示すように、人物Ｐ１２とＰ１３との間の隙間の狭いバランスの良い画像を得ることができる。
特に、撮像領域の外縁の一部を含む領域（携帯端末装置１００に向かって右端の領域）で聞き取り可能な音声かつ撮像領域の中心側へ移動するよう促す音声を、音声出力部１３２−１、１３２−５および１３２−９が出力し、当該音声を聞いた人物Ｐ１１が左に移動することで、人物Ｐ１１の像が切れる状態を解消し得る。
【００４４】
なお、携帯端末装置１００が撮像機能を実行している際、音声出力部１３２が、撮像領域の外縁の一部を含む領域に対して、撮像領域の中心側へ移動するメッセージを常に出力するようにしてもよい。たとえば、音声出力部１３２は、携帯端末装置１００に向かって撮像領域の右端から内側へ５０センチメートル（ｃｍ）以内の領域に向けて音声を出力するパラメトリックスピーカを具備して、当該領域に対して、撮像領域の中心側へ移動するよう指示する音声（例えば、「左へ寄ってください」といったメッセージ音声）を出力する。
これにより、携帯端末装置１００は、撮像領域の端に写っている人物の有無を判定する必要無しに、撮像領域の端に位置する人物に対して中心側へ移動するよう指示することができ、当該人物の像が切れていない画像を取得し得る。
【００４５】
次に図５を参照して、携帯端末装置１００が行う合焦領域通知について説明する。
図５は、携帯端末装置１００（合焦領域検出部２６３）が検出する合焦領域の例を示す説明図である。同図に示すカメラ画像には、被写体としての人物Ｐ２１〜Ｐ２３が写っている。これらの人物のうち、人物Ｐ２２にはピントが合っており、人物Ｐ２１およびＰ２３にはピントが合っていない。また、同図に示す領域Ａ２０１〜Ａ２１２は、図４の場合と同様である。
【００４６】
この図５の状態において、合焦領域検出部２６３は、領域Ａ２０３、Ａ２０７およびＡ２１１に含まれる被写体にピントが合っていることを検出し、また、他の領域に含まれる被写体にはピントが合っていないことを検出する。すなわち、合焦領域検出部２６３は、領域Ａ２０３、Ａ２０７およびＡ２１１に対応する領域である、音声出力部１３２−３、１３２−７および１３２−１１が音声を出力する領域が合焦領域に該当すること、および、他の領域は合焦領域に該当しないことを検出する。そして、音声出力部１３２が、合焦領域検出部２６３の検出結果に従って、合焦領域を示す音声を出力する。
【００４７】
ここで、音声出力部１３２が出力する合焦領域を示す音声として、様々なものを用いることができる。例えば、合焦領域に対応する音声出力部１３２−３、１３２−７および１３２−１１が、「ピントが合っている領域です」といったメッセージなど、合焦領域であることを示す音声を出力するようにしてもよい。
あるいは、合焦していない領域に対応する音声出力部１３２−１、１３２−２、１３２−４〜１３２−６、１３２−８〜１３２−１０および１３２−１２が、「ピントが合っていない領域です」といったメッセージなど、合焦していない領域であることを示す音声を出力するようにしてもよい。
【００４８】
このように、音声出力部１３２が、合焦領域を示す音声を出力することで、合焦していない領域に位置する人物Ｐ２１およびＰ２３は、自らにピントが合っていないことを認識して、ピントの合う位置に移動することができる。
また、合焦領域に位置する人物Ｐ２２は、自らにピントが合っている可能性が高いことを認識して、ピントの合う位置に留まることができる。また、携帯端末装置１００は、当該人物Ｐ２２に対して安心感を与えることができる。
【００４９】
次に、図６を参照して、携帯端末装置１００が行う笑顔検出通知について説明する。
図６は、携帯端末装置１００（笑顔検出部２６４）が検出する笑顔領域の例を示す説明図である。同図に示すカメラ画像には、被写体としての人物Ｐ３１およびＰ３２が写っている。これらの人物のうち、人物Ｐ３１の表情は笑顔であり、一方、人物Ｐ３２の表情は笑顔でない。また、領域Ａ２０２およびＡ２０３等の各領域は、図４の場合と同様である。
【００５０】
この図６の状態において、笑顔検出部２６４は、人物Ｐ３１の表情が笑顔であること、および、人物Ｐ３２の表情が笑顔で無いことを検出する。そして、音声出力部１３２が、笑顔検出部２６４の検出した笑顔を含む領域（笑顔検出領域）を示す音声を出力する。
ここで、音声出力部１３２が出力する笑顔検出領域を示す音声として、様々なものを用いることができる。例えば、笑顔検出領域に対応する音声出力部１３２−３が、「笑顔を検出した領域です」といったメッセージなど、笑顔検出領域であることを示す音声を出力するようにしてもよい。
【００５１】
あるいは、笑顔を検出していない領域に対応する音声出力部１３２−１、１３２−２、１３２−４〜１３２−１２が、「笑顔を検出していない領域です」といったメッセージなど、笑顔を検出していない領域であることを示す音声を出力するようにしてもよい。または、笑顔以外の表情が検出された領域Ａ２０２に対応する音声出力部１３２−２が、笑顔を検出していない領域であることを示す音声を出力するようにしてもよい。これにより、人物が位置しない領域に対する音声の出力を抑制して、消費電力を低減させることができる。
あるいは、笑顔を検出していない領域であることを示す音声に代えて、「スマイルを御願いします」など、笑顔を促す音声を出力するようにしてもよい。
【００５２】
このように、音声出力部１３２が、笑顔検出領域を示す音声を出力することで、笑顔を検出していない領域に位置する人物Ｐ３１に笑顔を意識させ得る。人物Ｐ３１が笑顔になることで、携帯端末装置１００は、和らいだ雰囲気の画像を得ることが出来る。
また、笑顔検出領域に位置する人物Ｐ３２は、自らの表情が笑顔として認識されている可能性が高いこと、従って、自らが笑顔で撮像されるであろうことを認識して、自らの表情を維持することができる。また、携帯端末装置１００は、当該人物Ｐ３２に対して安心感を与えることができる。
【００５３】
次に、図７〜図１０を参照して携帯端末装置１００の動作について説明する。
図７は、携帯端末装置１００が、静止画像を撮像する撮像機能を実行する際の処理手順を示すフローチャートである。ただし、本発明の適用範囲は静止画像を撮像する場合に限らず、動画像を撮像する場合にも本発明を適用し得る。
携帯端末装置１００は、撮像機能の開始を指示する操作を操作入力部１２０にて受け付けると、図７の処理を開始する。
【００５４】
まず、アプリケーション実行部２６０は、撮像機能のアプリケーションプログラムの実行を開始し、撮像制御部２５０を介して撮像部１５０を起動させる（ステップＳ１０１）。これにより、撮像部１５０は、カメラ画像を示す画像信号の出力を開始し、撮像制御部２５０は、当該カメラ画像の画像データの出力を開始する。そして、表示制御部２１０は、撮像制御部２５０から出力される画像データに基づいて画面表示用の信号を生成して表示部１１０に出力し、表示部１１０は、当該信号に従ってファインダー画像を表示する。
【００５５】
次に、アプリケーション実行部２６０の距離測定部２６２は、被写体までの距離を測定し、測定結果を撮像制御部２５０に出力する（ステップＳ１０２）。上述したように、距離測定部２６２は、音声出力部１３２が音声を出力してから、音声入力部１３１が反射音を採取するまでの時間に基づいて、携帯端末装置１００から被写体までの距離を算出（検出）する。
【００５６】
次に、撮像部１５０は、撮像制御部２５０の制御に従って、距離測定部２６２が検出した被写体までの距離に合焦する（ステップＳ１０３）。ここで、被写体が複数ある場合、撮像部１５０は、携帯端末装置１００から最も近い被写体までの距離に合焦する。あるいは、操作入力部１２０が、被写体を選択する操作を受け付けて、撮像部１５０が、選択された被写体までの距離に合焦するようにしてもよい。
【００５７】
次に、アプリケーション実行部２６０は、撮像機能の終了を指示する操作を操作入力部１２０が受け付けたか否かを判定する（ステップＳ１０４）。受け付けたと判定した場合（ステップＳ１０４：ＹＥＳ）、撮像部１５０の停止やファインダー画像の表示終了など、撮像機能の終了処理を行い（ステップＳ１１１）、その後、同図の処理を終了する。
【００５８】
一方、ステップＳ１０４において、撮像機能の終了を指示する操作を操作入力部１２０が受け付けなかったと判定した場合（ステップＳ１０４：ＮＯ）、アプリケーション実行部２６０は、ズーム操作を操作入力部１２０が受け付けたか否かを判定する（ステップＳ１２１）。ズーム操作を受け付けたと判定した場合（ステップＳ１２１：ＹＥＳ）、アプリケーション実行部２６０は、当該ズーム操作に従って、ズームレンズの移動を撮像制御部２５０に指示し、撮像制御部２５０は、アプリケーション実行部２６０からの指示に従って、撮像部１５０のズームレンズを移動させる（ステップＳ１２２）。
【００５９】
次に、携帯端末装置１００は、図４で説明した被写体位置指示に関する処理を行う（ステップＳ１３１）。当該処理の手順については、図８を参照して後述する。
次に、アプリケーション実行部２６０は、撮像画像の保存を指示する操作を操作入力部１２０が受け付けたか否かを判定する（ステップＳ１４１）。撮像画像の保存を指示する操作を受け付けたと判定した場合（ステップＳ１４１：ＹＥＳ）、アプリケーション実行部２６０は、撮像制御部２５０から出力されるカメラ画像の画像データを、撮像画像の画像データとして記憶部１９０に書き込む（ステップＳ１４２）。
その後、ステップＳ１０２に戻る。
【００６０】
一方、ステップＳ１４１において、撮像画像の保存を指示する操作を受け付けていないと判定した場合（ステップＳ１４１：ＮＯ）、携帯端末装置１００は、図５で説明した合焦領域通知に関する処理を実行し（ステップＳ１５１）、また、図６で説明した笑顔検出通知に関する処理を実行する（ステップＳ１５２）。これらの処理の手順については、図９および図１０を参照して後述する。
その後、ステップＳ１０２に戻る。
【００６１】
一方、ステップＳ１２１において、ズーム操作を受け付けていないと判定した場合（ステップＳ１２１：ＮＯ）、ステップＳ１３１に進む。
【００６２】
次に、図８を参照して、ステップＳ１３１（図７）における携帯端末装置１００の動作について説明する。
図８は、携帯端末装置１００が、被写体位置指示機能に関する処理を行う手順を示すフローチャートである。同図の処理において、まず、アプリケーション実行部２６０は、被写体位置指示機能がＯＮ（実行する）に設定されているか否かを判定する（ステップＳ２０１）。当該設定は、例えば、操作入力部１２０がユーザ操作を受け付けることによって予め（撮像機能の実行開始前に）行われる。
【００６３】
被写体位置指示機能がＯＮに設定されていると判定した場合（ステップＳ２０１：ＹＥＳ）、アプリケーション実行部２６０の被写体検出部２６１が、カメラ画像における人物の位置を検出する（ステップＳ２０２）。被写体検出部２６１は、例えば、カメラ画像に対するパターンマッチングによって人物の像を検出し、検出した像の位置（カメラ画像における座標）を求めることによって、カメラ画像における被写体の位置を検出する。
【００６４】
次に、アプリケーション実行部２６０は、被写体検出部２６１の検出結果に基づいて、カメラ画像に複数の人物が写っているか否かを判定する（ステップＳ２１１）。複数の人物が写っていると判定した場合（ステップＳ２１１：ＹＥＳ）、アプリケーション実行部２６０は、人物の間隔が所定の距離以上の箇所（以下、「人物間の隙間」と称する）があるか否かを判定する（ステップＳ２１２）。ここでの所定の距離としては、例えば、カメラ画像における人物の（像の）幅など、人物の大きさとの相対的な距離を用いることができる。
【００６５】
人物間の隙間があると判定した場合（ステップＳ２１２：ＹＥＳ）、アプリケーション実行部２６０は、移動対象とする人物を決定する（ステップＳ２１３）。具体的には、アプリケーション実行部２６０は、人物間の隙間を検出した位置の左右で、それぞれ人物の集合（一纏まり）の中心位置を求め、求めた中心位置がカメラ画像の中心から遠いほうの集合に含まれる人物を移動対象とする。
図４（ａ）のカメラ画像の場合、アプリケーション実行部２６０は、人物Ｐ１２とＰ１３との間に人物間の隙間があると判定し、人物Ｐ１１と人物Ｐ１２とを一纏まりとする。そして、カメラ画像の横方向の座標（以下、「Ｘ座標」と称する）において、人物Ｐ１１と人物Ｐ１２との位置のＸ座標（カメラ画像の左端のＸ座標から、人物Ｐ１２の左手の先のＸ座標まで）の中心のＸ座標を求める。また、アプリケーション実行部２６０は、人物Ｐ１３と人物Ｐ１４とを一纏まりとして、人物Ｐ１３と人物Ｐ１４との位置のＸ座標（人物Ｐ１３の右手の先のＸ座標から、人物Ｐ１４の左手の先のＸ座標まで）の中心のＸ座標を求める。そして、アプリケーション実行部２６０は、人物Ｐ１１と人物Ｐ１２との中心のＸ座標のほうが、人物Ｐ１３と人物Ｐ１４との中心のＸ座標よりもカメラ画像の中心から遠いと判定して、人物Ｐ１１と人物Ｐ１２とを移動対象に決定する。
【００６６】
次に、アプリケーション実行部２６０は、移動対象の人物を移動させる方向を決定する（ステップＳ２１４）。具体的には、ステップＳ２１３で求めた中心が、カメラ画像の中心に近付く方向に移動させるように決定する。図４（ａ）の例では、人物Ｐ１１と人物Ｐ１２との中心のＸ座標は、カメラ画像の中心よりも左の位置を示している。そこで、アプリケーション実行部２６０は、人物Ｐ１１と人物Ｐ１２とを右（携帯端末装置１００に向かって左）に移動させることに決定する。
【００６７】
そして、アプリケーション実行部２６０は、ステップＳ２１４で決定した方向に移動するよう指示するメッセージを記憶部１９０から読み出して音声処理部２３０に出力し、音声処理部２３０は、音声出力部１３２を制御して、移動対象の人物に対して当該メッセージの音声を出力させる（ステップＳ２１５）。
図４（ａ）の例では、アプリケーション実行部２６０は、ステップＳ２１４で決定した方向に基づいて、「左に寄って下さい」というメッセージを記憶部１９０から読み出す。また、アプリケーション実行部２６０（被写体検出部２６１）は、人物Ｐ１１およびＰ１２の像が含まれる領域が、領域Ａ２０１、Ａ２０２、Ａ２０５、Ａ２０６、Ａ２０９およびＡ２１０であることを検出する。そして、アプリケーション実行部２６０は、記憶部１９０から読み出したメッセージを音声処理部２３０に出力し、検出した領域に対応する音声出力部１３２−１、１３２−２、１３２−５、１３２−６、１３２−９および１３２−１０から当該メッセージの音声を出力するよう指示する。そして、音声処理部２３０は、アプリケーション実行部２６０から出力されたメッセージの音声信号を生成し、音声出力部１３２−１、１３２−２、１３２−５、１３２−６、１３２−９および１３２−１０に出力して当該メッセージの音声を出力させる。
その後、ステップＳ２０２に戻る。
【００６８】
一方、ステップＳ２１１において、複数の人物が写っていないと判定した場合（ステップＳ２１１：ＮＯ）、および、ステップＳ２１２において、人物間の隙間がないと判定した場合（ステップＳ２１２：ＮＯ）、アプリケーション実行部２６０は、画像の端にかかっている人物がいるか否かを判定する（ステップＳ２２１）。画像の端にかかっている人物がいると判定した場合（ステップＳ２２１：ＹＥＳ）、アプリケーション実行部２６０は、当該人物に対してカメラ画像の中心側に移動するよう指示するメッセージを記憶部１９０から読み出して音声処理部２３０に出力し、音声処理部２３０は、音声出力部１３２を制御して、移動対象の人物に対して当該メッセージの音声を出力させる（ステップＳ２２２）。
例えば、カメラ画像の左端にかかっている人物を検出した場合、アプリケーション実行部２６０は、カメラ画像の中心側（携帯端末装置１００に向かって左）に移動するよう指示する「左に寄って下さい」というメッセージを記憶部１９０から読み出す。
また、アプリケーション実行部２６０（被写体検出部２６１）は、当該人物（の像）が含まれる領域が、領域Ａ２０１、Ａ２０５およびＡ２０９であることを検出する。そして、アプリケーション実行部２６０は、記憶部１９０から読み出したメッセージを音声処理部２３０に出力し、検出した領域に対応する音声出力部１３２−１、１３２−５および１３２−９から当該メッセージの音声を出力するよう指示する。そして、音声処理部２３０は、アプリケーション実行部２６０から出力されたメッセージの音声信号を生成し、音声出力部１３２−１、１３２−５および１３２−９に出力して当該メッセージの音声を出力させる。
その後、ステップＳ２０２に戻る。
【００６９】
一方、ステップＳ２０１において、被写体位置の指示を行う機能がＯＦＦに設定されていると判定した場合（ステップＳ２０１：ＮＯ）、および、ステップＳ２２１において、画像の端にかかっている人物がいないと判定した場合（ステップＳ２２１：ＮＯ）、同図の処理を終了する。
【００７０】
次に、図９を参照してステップＳ１５１（図７）における携帯端末装置１００の動作について説明する。
図９は、携帯端末装置１００が、合焦領域通知に関する処理を行う手順を示すフローチャートである。同図の処理において、まず、アプリケーション実行部２６０は、合焦領域通知機能がＯＮ（実行する）に設定されているか否かを判定する（ステップＳ３０１）。当該設定は、例えば、操作入力部１２０がユーザ操作を受け付けることによって予め（撮像機能の実行開始前に）行われる。
【００７１】
合焦領域通知機能がＯＮに設定されていると判定した場合（ステップＳ３０１：ＹＥＳ）、アプリケーション実行部２６０の合焦領域検出部２６３が、カメラ画像における合焦領域を検出する（ステップＳ３０２）。上述したように、被写体に合焦しているか否かを合焦領域検出部２６３が判定する方法としては、携帯端末装置１００から被写体までの距離と撮像部１５０のフォーカスとを比較する方法や、撮像部１５０のフォーカスを変化させた際の被写体の像のコントラストの変化量を用いる方法など、様々な方法を用いることができる。
【００７２】
次に、アプリケーション実行部２６０は、合焦領域を示すメッセージを記憶部１９０から読み出して音声処理部２３０に出力し、音声処理部２３０は、合焦領域に応じて、音声出力部１３２に当該音声のメッセージを出力させる（ステップＳ３０３）。上述したように、音声出力部１３２の各々のうち合焦領域に対応するものに、合焦領域であることを示す音声を出力させるようにしてもよいし、あるいは、音声出力部１３２の各々のうち合焦していない領域に対応するものに、合焦領域でないことを示す音声を出力させるようにしてもよい。
その後、同図の処理を終了する。
また、ステップＳ３０１において、合焦領域通知機能がＯＦＦに設定されていると判定した場合（ステップＳ３０１：ＮＯ）も、同図の処理を終了する。
【００７３】
次に、図１０を参照してステップＳ１５２（図７）における携帯端末装置１００の動作について説明する。
図１０は、携帯端末装置１００が、笑顔検出通知に関する処理を行う手順を示すフローチャートである。同図の処理において、まず、アプリケーション実行部２６０は、笑顔検出通知機能がＯＮ（実行する）に設定されているか否かを判定する（ステップＳ４０１）。当該設定は、例えば、操作入力部１２０がユーザ操作を受け付けることによって予め（撮像機能の実行開始前に）行われる。
【００７４】
笑顔検出通知機能がＯＮに設定されていると判定した場合（ステップ４０１：ＹＥＳ）、アプリケーション実行部２６０の笑顔検出部２６４が、カメラ画像における笑顔の領域を検出する（ステップＳ４０２）。笑顔検出部２６４が笑顔を検出する方法としては、例えば、予め記憶しておいた顔パターンとのパターンマッチングによる方法など、公知の方法を用いることができる。
【００７５】
次に、アプリケーション実行部２６０は、笑顔検出領域を示すメッセージを記憶部１９０から読み出して音声処理部２３０に出力し、音声処理部２３０は、笑顔検出領域に応じて、音声出力部１３２に当該音声のメッセージを出力させる（ステップＳ４０３）。上述したように、音声出力部１３２の各々のうち笑顔検出領域に対応するものに、笑顔検出領域であることを示す音声を出力させるようにしてもよいし、あるいは、音声出力部１３２の各々のうち笑顔を検出していない領域に対応するものに、笑顔検出領域でないことを示す音声を出力させるようにしてもよい。
その後、同図の処理を終了する。
また、ステップＳ４０１において、笑顔検出通知機能がＯＦＦに設定されていると判定した場合（ステップＳ４０１：ＮＯ）も、同図の処理を終了する。
【００７６】
以上のように、音声出力部１３２は、撮像部１５０の撮像領域の一部で聞き取り可能な音声を出力する。
これにより、携帯端末装置１００は、撮像領域に含まれる複数の人物のうち一部のみに通知を行うことや、人物が特定の領域に位置する場合にのみ通知を行うことができる。従って、携帯端末装置１００は、通知対象の人物に対してのみ短いメッセージで通知を行うなど、より的確に通知を行うことができる。
また、携帯端末装置１００は、音声を用いて通知を行うので、光を用いて通知を行う場合と比べて、周囲が明るい状態でも被写体としての人物が通知を認識し易く、また、通知のための光が画像に映りこんでしまうことを回避できる。
【００７７】
また、音声出力部１３２の各々は、互いに異なる領域で聞き取り可能な音声を出力する。
これにより、パラメトリックスピーカの向きを制御する仕組みを具備する必要無しに、撮像部１５０の撮像領域を分割した領域のいずれかを選択して、選択した領域に音声を出力することができる。
【００７８】
また、音声出力部１３２（例えば、音声出力部１３２−１、１３２−５および１３２−９）は、撮像領域の外縁の一部を含む領域で聞き取り可能な音声かつ撮像領域の中心側へ移動するよう促す音声を出力する。
これにより、携帯端末装置１００は、カメラ画像において人物の像が切れてしまっている場合に、当該人物を移動させて人物の像が切れていないカメラ画像を取得し得る。
【００７９】
また、合焦領域検出部２６３が合焦領域を検出し、音声出力部１３２は、合焦領域を示す音声を出力する。
これにより、合焦していない領域に位置する人物は、自らにピントが合っていないことを認識して、ピントの合う位置に移動することができる。また、合焦領域に位置する人物は、自らにピントが合っている可能性が高いことを認識して、ピントの合う位置に留まることができる。また、携帯端末装置１００は、当該人物に対して安心感を与えることができる。
【００８０】
また、笑顔検出部２６４が笑顔検出領域を検出し、音声出力部１３２は、笑顔検出領域を示す音声を出力する。
これにより、携帯端末装置１００は、笑顔を検出していない領域に位置する人物に笑顔を意識させ得る。当該人物が笑顔になることで、携帯端末装置１００は、和らいだ雰囲気の画像を得ることが出来る。また、笑顔検出領域に位置する人物は、自らの表情が笑顔として認識されている可能性が高いこと、従って、自らが笑顔で撮像されるであろうことを認識して、自らの表情を維持することができる。また、携帯端末装置１００は、当該人物に対して安心感を与えることができる。
【００８１】
また、距離測定部２６２が、音声出力部１３２の出力する音声を用いて被写体までの距離を検出し、撮像部１５０は、距離測定部２６２が検出した被写体までの距離に合焦する。
これにより、被写体の色と背景の色が似ている場合など、フォーカスレンズを動かしたときにコントラストの変化を得にくい場合にも、携帯端末装置１００は、より正確にピント合わせを行うことができる。
【００８２】
なお、制御部１８０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８３】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００８４】
１００  携帯端末装置
１１０  表示部
１２０  操作入力部
１３１  音声入力部
１３２−１〜１３２−１２  音声出力部
１４０  無線通信部
１５０  撮像部
１８０  制御部
１９０  記憶部
２１０  表示制御部
２２０  入力処理部
２３０  音声処理部
２４０  通信制御部
２５０  撮像制御部
２６０  アプリケーション実行部
２６１  被写体検出部
２６２  距離測定部
２６３  合焦領域検出部
２６４笑顔検出部
【図１】
2013041012.tif 000003
【図２】
2013041012.tif 000004
【図３】
2013041012.tif 000005
【図４】
2013041012.tif 000006
【図５】
2013041012.tif 000007
【図６】
2013041012.tif 000008
【図７】
2013041012.tif 000009
【図８】
2013041012.tif 000010
【図９】
2013041012.tif 000011
【図１０】
2013041012.tif 000012